(57)【特許請求の範囲】
【請求項１】
原稿画像を読取って画像データに変換する画像読取手段と、前記画像読取手段で読取った画像データに基づいて記録材に画像を形成する画像形成手段と、を有する画像処理装置と、
該画像処理装置に接続された情報処理装置と、
を含む画像処理システムであって、
前記情報処理装置は、前記画像処理装置の設定情報をユーザ識別情報と対応させてユーザごとに記憶するユーザ設定記憶手段を有し、
前記画像処理装置は、
前記画像処理装置の設定情報を記憶する装置設定記憶手段と、
前記装置設定記憶手段に記憶された前記設定情報に応じて前記画像処理装置の制御を行う制御手段と、
ユーザを識別するユーザ識別情報を入力する識別情報入力手段と、
前記ユーザ設定記憶手段に前記ユーザ識別情報を送出する識別情報送出手段と、
前記ユーザ設定記憶手段から、送出した前記ユーザ識別情報に対応する前記設定情報を受信する受信手段と、
前記装置設定記憶手段の前記設定情報の内容を、前記受信手段で受信した前記設定情報に基づいた内容に、変更する設定変更手段と、
前記受信手段で受信した前記設定情報に基づいた画像形成が可能か否かを判定する判定手段と、
を有し、
前記制御手段は、
前記受信手段で受信した前記設定情報に基づいた画像形成が可能である場合に、該設定に基づいた画像形成を、前記画像形成装置の操作部からの画像形成開始指示により、前記画像形成手段に実行させ、一方、前記受信手段で受信した前記設定情報に基づいた画像形成が不可能な場合に、エラー情報を表示させる、
ことを特徴とする画像処理システム。
【請求項２】
前記ユーザ設定記録手段及び前記装置設定記憶手段は、前記設定情報として、前記画像形成手段の各種設定情報を含むことを特徴とする請求項１に記載の画像処理システム。
【請求項３】
前記ユーザ設定記録手段及び前記装置設定記憶手段は、前記設定情報として、前記画像読取手段の各種設定情報を含むことを特徴とする請求項１又は２に記載の画像処理システム。
【請求項４】
前記画像処理装置は、
画像データに対し編集処理を施す画像編集手段を更に有し、
前記設定情報は、該画像編集手段の各種設定情報を含むことを特徴とする請求項１、２又は３に記載の画像処理システム。
【請求項５】
前記画像処理装置は、
前記画像処理装置の設定及び操作を直接入力する操作手段を更に有し、
前記設定情報は、該操作手段における操作方法に関する情報を含むことを特徴とする請求項１、２、３又は４に記載の画像処理システム。
【請求項６】
前記操作手段は、操作項目を表示する表示手段を有し、
前記設定情報は、前記表示手段に表示される操作項目を含むことを特徴とする請求項５に記載の画像処理システム。
【請求項７】
前記ユーザ設定記憶手段は、前記設定情報として、前記操作方法について記述したスクリプトを記憶することを特徴とする請求項５又は６に記載の画像処理システム。
【請求項８】
前記ユーザ設定記憶手段は、前記設定情報として、前記操作方法について記述したプログラムを記憶することを特徴とする請求項５又は６に記載の画像処理システム。
【請求項９】
前記設定変更手段は、更に前記操作手段からの入力に基づいて前記装置設定記憶手段に記憶された設定情報を変更する手段であって、
前記画像処理装置は、
前記設定変更手段によって変更された前記装置設定記憶手段の設定情報に基づいて前記ユーザ設定記憶手段の設定情報を更新するユーザ設定更新手段を更に有することを特徴とする請求項５、６、７又は８に記載の画像処理システム。
【請求項１０】
前記識別情報入力手段は、前記ユーザ識別情報の保持媒体との接触によりユーザ識別情報を入力することを特徴とする請求項１乃至９のいずれか一つに記載の画像処理システム。
【請求項１１】
前記識別情報入力手段が前記保持媒体と接触した場合、自動的に、前記識別情報送出手段が前記ユーザ設定記憶手段に前記ユーザ識別情報を送出し、前記受信手段が前記ユーザ設定記憶手段から、送出した前記ユーザ識別情報に対応する前記設定情報を受信し、前記設定変更手段が前記受信手段で受信した前記設定情報に基づいて前記装置設定記憶手段の内容を変更することを特徴とする請求項１０に記載の画像処理システム。
【請求項１２】
前記識別情報入力手段は、ユーザ識別情報の保持媒体と近接することによりユーザ識別情報を入力することを特徴とする請求項１乃至９のいずれか一つに記載の画像処理システム。
【請求項１３】
前記識別情報入力手段が前記保持媒体と近接して所定時間経過した場合、自動的に、前記識別情報送出手段が前記ユーザ設定記憶手段に前記ユーザ識別情報を送出し、前記受信手段が前記ユーザ設定記憶手段から、送出した前記ユーザ識別情報に対応する前記設定情報を受信し、前記設定変更手段が前記受信手段で受信した前記設定情報に基づいて前記装置設定記憶手段の内容を変更することを特徴とする請求項１２に記載の画像処理システム。
【請求項１４】
前記識別情報入力手段は、ユーザ識別情報としての文字列をキー入力する手段であることを特徴とする請求項１乃至９のいずれか一つに記載の画像処理システム。
【請求項１５】
前記ユーザ設定記憶手段及び前記装置設定記憶手段は、前記設定情報として編集処理に用いる補助画像を記憶することを特徴とする請求項１乃至１４のいずれか一つに記載の画像処理システム。
【請求項１６】
前記装置設定記憶手段は、前記設定変更手段により変更されるパーソナル設定情報と前記設定変更手段によっては変更されない共有設定情報とを記憶することを特徴とする請求項１乃至１５に記載の画像処理システム。
【請求項１７】
前記識別情報送出手段は、前記画像処理装置が属する機種グループを識別する機種グループ識別情報をも送出し、
前記受信手段は、ユーザ識別情報及び機種グループ識別情報に対応する、前記設定情報を、受信することを特徴とする請求項１乃至１６のいずれか一つに記載の画像処理システム。
【請求項１８】
前記識別情報送出手段は、前記画像処理装置が属する機種を識別する機種識別情報をも送出し、
前記受信手段は、ユーザ識別情報及び機種識別情報に対応する、前記設定情報を、受信することを特徴とする請求項１乃至１６のいずれか一つに記載の画像処理システム。
【請求項１９】
前記識別情報送出手段は、前記画像処理装置を識別する装置識別情報をも送出し、
前記受信手段は、ユーザ識別情報及び装置識別情報に対応する、前記設定情報を、受信することを特徴とする請求項１乃至１６のいずれか一つに記載の画像処理システム。
【請求項２０】
前記請求項１乃至１９のいずれか一つの画像処理システムにおいて定義された画像処理装置。
【請求項２１】
原稿画像を読取って画像データに変換する画像読取手段と、前記画像読取手段で読取った画像データに基づいて記録材に画像を形成する画像形成手段と、画像処理装置固有の設定情報を記憶する装置設定記憶手段と、を有する画像処理装置と、
該画像処理装置の設定情報をユーザ識別情報と対応させてユーザごとに記憶するユーザ設定記憶手段を有する情報処理装置と、
を含む画像処理システムの制御方法であって、
ユーザを識別するユーザ識別情報を前記画像処理装置に入力する識別情報入力工程と、
前記ユーザ識別情報を前記画像処理装置から前記ユーザ設定記憶手段に送出する識別情報送出工程と、
前記情報処理装置の前記ユーザ設定記憶手段から、前記ユーザ識別情報に対応する前記設定情報を前記画像処理装置により受信する受信工程と、
前記装置設定記憶手段の前記設定情報の内容を、前記受信工程で受信した前記設定情報に基づいた内容に、変更する設定変更工程と、
前記受信工程において受信した前記設定情報に基づいた画像形成が可能か否かを判定する判定工程と、
前記受信工程において受信した前記設定情報に基づいた画像形成が可能である場合に、該設定に基づいた画像形成を、前記画像処理装置の操作部からの画像形成開始指示により、前記画像形成手段に実行させ、一方、前記受信工程において受信した前記設定情報に基づいた画像形成が不可能である場合に、エラー情報を表示させる制御工程と、
を有することを特徴とする画像処理システムの制御方法。
【請求項２２】
原稿画像を読取って画像データに変換する画像読取手段と、前記画像読取手段で読取った画像データに基づいて記録材に画像を形成する画像形成手段と、画像処理装置固有の設定情報を記憶する装置設定記憶手段と、を有する画像処理装置と、
該画像処理装置の設定情報をユーザ識別情報と対応させてユーザごとに記憶するユーザ設定記憶手段を有する情報処理装置と、
を含む画像処理システムの制御プログラムを格納したコンピュータ可読メモリであって、
前記制御プログラムは、コンピュータに、
ユーザを識別するユーザ識別情報を前記画像処理装置に入力する識別情報入力工程と、
前記ユーザ識別情報を前記画像処理装置から前記ユーザ設定記憶手段に送出する識別情報送出工程と、
前記情報処理装置の前記ユーザ設定記憶手段から、前記ユーザ識別情報に対応する前記設定情報を前記画像処理装置により受信する受信工程と、
前記装置設定記憶手段の前記設定情報の内容を、前記受信工程で受信した前記設定情報に基づいた内容に、変更する設定変更工程と、
前記受信工程において受信した前記設定情報に基づいた画像形成が可能か否かを判定する判定工程と、
前記受信工程において受信した前記設定情報に基づいた画像形成が可能である場合に、該設定に基づいた画像形成を、前記画像処理装置の操作部からの画像形成開始指示により、前記画像形成手段に実行させ、一方、前記受信工程において受信した前記設定情報に基づいた画像形成が不可能である場合に、エラー情報を表示させる制御工程と、
を実行させることを特徴とするコンピュータ可読メモリ。
【請求項２３】
複数の画像処理装置を含む画像処理システムであって、
前記複数の画像処理装置のそれぞれが、
原稿画像を読み取って画像データに変換する原稿読取手段と、
画像データに基づいて記録材に画像を形成する画像形成手段と、
ユーザによる操作を受け付ける操作部と、
自装置の設定情報を送信する送信手段と、
他の画像処理装置の送信手段により送信される設定情報を受信する受信手段と、
自装置の設定を、前記他の画像処理装置から受信した設定情報に基づいた設定に、変更する設定変更手段と、
前記他の画像処理装置からの設定情報に基づいた設定で、自装置の画像形成手段により画像形成が可能か否かを判定する判定手段と、
前記他の画像処理装置からの設定情報に基づいた設定で、自装置の画像形成手段により画像形成が可能である場合に、該設定に基づいた画像形成を、自装置の操作部からの画像形成開始指示により、自装置の画像形成手段に実行させ、一方、前記他の画像処理装置からの設定情報に基づいた設定で、自装置の画像形成手段により画像形成が不可能である場合に、自装置の操作部にエラー表示を実行させる、制御手段と、
を有することを特徴とする画像処理システム。
【請求項２４】
原稿画像を読み取って画像データに変換する原稿読取手段と、
画像データに基づいて記録材に画像を形成する画像形成手段と、
ユーザによる操作を受け付ける操作部と、
を有し、他の画像処理装置と通信可能な画像処理装置であって、
前記他の画像処理装置から、前記他の画像処理装置の設定情報を受信する受信手段と、
自装置の設定を、前記他の画像処理装置から受信した設定情報に基づいた設定に、変更する設定変更手段と、
前記受信手段で受信した設定情報に基づいた設定で、自装置の画像形成手段により画像形成が可能か否かを判定する判定手段と、
前記受信手段で受信した設定情報に基づいた設定で、自装置の画像形成手段により画像形成が可能である場合に、該設定情報に基づいた画像形成を、前記操作部からの画像形成開始指示により、前記画像形成手段に実行させ、一方、前記受信手段で受信した設定情報に基づいた設定で、自装置の画像形成手段により画像形成が不可能である場合に、前記操作部にエラー表示を実行させる、制御手段と、
を有することを特徴とする画像処理装置。
【請求項２５】
原稿読取手段と操作部と画像形成手段を有する複数の画像処理装置を含む画像処理システムの制御方法であって、
前記複数の画像処理装置のそれぞれにて、
自装置の設定情報を送信可能にし、
他の画像処理装置から送信される設定情報を受信可能にし、
自装置の設定を、前記他の画像処理装置からの設定情報に基づいた設定に、変更可能にし、
前記他の画像処理装置からの設定情報に基づいた設定で、自装置の画像形成手段により画像形成が可能か否かを判定可能にし、
前記他の画像処理装置からの設定情報に基づいた設定で、自装置の画像形成手段により画像形成が可能である場合に、該設定に基づいた画像形成を、自装置の操作部からの画像形成開始指示により、自装置の画像形成手段に実行可能にし、一方、前記他の画像処理装置からの設定情報に基づいた設定で、自装置の画像形成手段により画像形成ができない場合に、自装置の操作部にエラー表示を実行させる、ことを特徴とする画像処理システムの制御方法。
【請求項２６】
原稿読取手段と操作部と画像形成手段を有する画像処理装置の制御方法であって、
他の画像処理装置から、他の画像処理装置の設定情報を受信する受信工程と、
自装置の設定を、前記他の画像処理装置からの設定情報に基づいた設定に、変更する変更工程と、
前記他の画像処理装置からの設定情報に基づいた設定で、前記画像形成手段により画像形成が可能か否かを判定する為の判定工程と、
前記他の画像処理装置からの設定情報に基づいた設定で、前記画像形成手段により画像形成が可能である場合に、該設定に基づいた画像形成を、前記操作部からの画像形成開始指示により、前記画像形成手段に実行させ、一方、前記他の画像処理装置からの設定情報に基づいた設定で、前記画像形成手段により画像形成ができない場合に、前記操作部にエラー表示を実行させる制御工程と、
を有することを特徴とする画像処理装置の制御方法。
【発明の詳細な説明】
【０００１】
【産業上の利用分野】
本発明は、画像処理装置及びその装置を含む画像処理システム並びにその制御方法に関する。
【０００２】
【従来の技術】
従来、画像処理装置には、複数のユーザに共用されるものがある。例えば、複写機がこれにあたる。
【０００３】
複写機では、通常、操作部を用いて複写倍率やトリミング領域の設定等の各種の設定を行った後、操作部内のコピースタートボタンを押して、複写動作を実行させる。従来の複写機には、この操作部を使用する上での様々な設定を記憶させることにより、ユーザの操作性を向上しうるものが存在する。この様々な設定とは、例えば、以下のようなものである。
１）コピーモードメモリ
コピーを行う場合の複写倍率の指示や各種編集処理の設定をコピーモードと呼ぶが、コピーモードメモリとは、よく使うコピーモードを記憶しておくためのものであり、通常、装置の電源をオフしても消えない構成となっている。ユーザは、よく使うコピーモードをコピーモードメモリに登録することで、簡単な操作で、それを呼び出すことができ、コピーするごとに、よく使うコピーモードを個々に再設定する必要がなくなる。
２）デフォルトコピーモードメモリ
これはデフォルトのコピーモードを設定するものであり、デフォルトのコピーモードとは、操作部の各設定をリセットもしくはクリアした場合の設定値を意味する。例えば、両面モードについて、片面コピーをデフォルトに指定するか、両面コピーをデフォルトに指定するか等を指定する。このデフォルトコピーモードメモリも、装置の電源をオフしても消えない構成となっている。
３）色登録
カラー複写機において、色変換などの編集処理において使う色をあらかじめ登録しておくものであり、色の識別子と色データの組み合わせとして記憶される。この色登録情報も、装置の電源をオフしても消えない構成となっている。
４）画像登録
カラー複写機において、テクスチャー処理や画像合成処理などの編集処理において使う画像をあらかじめ登録しておくものであり、画像の識別子と画像データの組み合わせとして記憶される。この画像登録情報は、データ量が多いため、安価な揮発性メモリに一時的に保持されることが多く、通常、装置の電源をオフすると消える構成となっている。
【０００４】
【発明が解決しようとする課題】
しかしながら、このような従来例においては、画像処理装置の複数のユーザに対して、装置の各種設定も共用しなければならなかった。そのため、個々のユーザの好みや目的に合わせた設定にすることはできなかった。
【０００５】
具体的に複写機においては以下のような問題が生じていた。
１）コピーモードメモリ等の各種設定が、複数のユーザで共有であり、また登録できる数に制限があった。このため、各ユーザが自分が良く使うコピーモードを登録しようと思っても、空きがなくて登録できない場合や、自分が登録したコピーモードが他のユーザにより上書きされて消されてしまう場合があった。
２）コピーモードメモリ等の各種設定が、各装置ごとに独立であった。このため、ユーザがＡという複写機で行う操作方法と、Ｂという複写機で行う操作方法が、同じ機種であっても異なる場合が生じ、ユーザがその違いを覚えておかなければならないという問題があった。また、これに伴い、操作性が低下するという問題があった。さらに、複写機の機種が違えば、さらに設定方法なども変わるため、その違いも覚えておかなければならないという問題があった。
３）各種設定を各装置ごとに高価な不揮発性記憶手段を用いて記憶する構成のため、コストの制限により、大量の設定や、画像データ等は記憶できなかった。
【０００６】
例えば、トリミング領域を、領域の外周上の多数の点を指定する方法で指定する場合は、領域情報として、この多数の点の座標情報を記憶する必要がある。従来、このような大量の設定は、安価な揮発性メモリに一時的に保持されることが多く、通常、装置の電源をオフすると消える構成となっている。このため、それらの設定はコピーを行う度に再設定を行う必要があった。
【０００７】
本発明は上述の様な事情に鑑みてなされたものであり、装置の各種設定を、各ユーザごとに保持し、あるユーザが装置を使用する場合に、そのユーザ用の各種設定によって装置をパーソナライズすることにより、そのユーザにおける操作性を著しく向上させることのできる画像処理装置及び画像処理システム並びにその制御方法を提供することを目的とする。
【０００８】
【課題を解決するための手段】
原稿画像を読取って画像データに変換する画像読取手段と、前記画像読取手段で読取った画像データに基づいて記録材に画像を形成する画像形成手段と、を有する画像処理装置と、
該画像処理装置に接続された情報処理装置と、
を含む画像処理システムであって、
前記情報処理装置は、前記画像処理装置の設定情報をユーザ識別情報と対応させてユーザごとに記憶するユーザ設定記憶手段を有し、
前記画像処理装置は、
前記画像処理装置の設定情報を記憶する装置設定記憶手段と、
前記装置設定記憶手段に記憶された前記設定情報に応じて前記画像処理装置の制御を行う制御手段と、
ユーザを識別するユーザ識別情報を入力する識別情報入力手段と、
前記ユーザ設定記憶手段に前記ユーザ識別情報を送出する識別情報送出手段と、
前記ユーザ設定記憶手段から、送出した前記ユーザ識別情報に対応する前記設定情報を受信する受信手段と、
前記装置設定記憶手段の前記設定情報の内容を、前記受信手段で受信した前記設定情報に基づいた内容に、変更する設定変更手段と、
前記受信手段で受信した前記設定情報に基づいた画像形成が可能か否かを判定する判定手段と、
を有し、
前記制御手段は、
前記受信手段で受信した前記設定情報に基づいた画像形成が可能である場合に、該設定に基づいた画像形成を、前記画像形成装置の操作部からの画像形成開始指示により、前記画像形成手段に実行させ、一方、前記受信手段で受信した前記設定情報に基づいた画像形成が不可能な場合に、エラー情報を表示させる、
ことを特徴とする。
【０００９】
ここで、前記ユーザ設定記録手段及び前記装置設定記憶手段は、前記設定情報として、前記画像形成手段の各種設定情報を含むことを特徴とする。
【００１０】
前記ユーザ設定記録手段及び前記装置設定記憶手段は、前記設定情報として、前記画像読取手段の各種設定情報を含むことを特徴とする。
【００１１】
前記画像処理装置は、
画像データに対し編集処理を施す画像編集手段を更に有し、
前記設定情報は、該画像編集手段の各種設定情報を含むことを特徴とする。
【００１２】
前記画像処理装置は、
前記画像処理装置の設定及び操作を直接入力する操作手段を更に有し、
前記設定情報は、該操作手段における操作方法に関する情報を含むことを特徴とする。
【００１３】
前記操作手段は、操作項目を表示する表示手段を有し、
前記設定情報は、前記表示手段に表示される操作項目を含むことを特徴とする。
【００１４】
前記ユーザ設定記憶手段は、前記設定情報として、前記操作方法について記述したスクリプトを記憶することを特徴とする。
【００１５】
前記ユーザ設定記憶手段は、前記設定情報として、前記操作方法について記述したプログラムを記憶することを特徴とする。
【００１６】
前記設定変更手段は、更に前記操作手段からの入力に基づいて前記装置設定記憶手段に記憶された設定情報を変更する手段であって、
前記画像処理装置は、
前記設定変更手段によって変更された前記装置設定記憶手段の設定情報に基づいて前記ユーザ設定記憶手段の設定情報を更新するユーザ設定更新手段を更に有することを特徴とする。
【００１７】
前記識別情報入力手段は、前記ユーザ識別情報の保持媒体との接触によりユーザ識別情報を入力することを特徴とする。
【００１８】
前記識別情報入力手段が前記保持媒体と接触した場合、自動的に、前記識別情報送出手段が前記ユーザ設定記憶手段に前記ユーザ識別情報を送出し、前記受信手段が前記ユーザ設定記憶手段から、送出した前記ユーザ識別情報に対応する前記設定情報を受信し、前記設定変更手段が前記受信手段で受信した前記設定情報に基づいて前記装置設定記憶手段の内容を変更することを特徴とする。
【００１９】
前記識別情報入力手段は、ユーザ識別情報の保持媒体と近接することによりユーザ識別情報を入力することを特徴とする。
【００２０】
前記識別情報入力手段が前記保持媒体と近接して所定時間経過した場合、自動的に、前記識別情報送出手段が前記ユーザ設定記憶手段に前記ユーザ識別情報を送出し、前記受信手段が前記ユーザ設定記憶手段から、送出した前記ユーザ識別情報に対応する前記設定情報を受信し、前記設定変更手段が前記受信手段で受信した前記設定情報に基づいて前記装置設定記憶手段の内容を変更することを特徴とする。
【００２１】
前記識別情報入力手段は、ユーザ識別情報としての文字列をキー入力する手段であることを特徴とする。
【００２２】
前記ユーザ設定記憶手段及び前記装置設定記憶手段は、前記設定情報として編集処理に用いる補助画像を記憶することを特徴とする。
【００２３】
前記装置設定記憶手段は、前記設定変更手段により変更されるパーソナル設定情報と前記設定変更手段によっては変更されない共有設定情報とを記憶することを特徴とする。
【００２４】
前記識別情報送出手段は、前記画像処理装置が属する機種グループを識別する機種グループ識別情報をも送出し、前記受信手段は、送出したユーザ識別情報及び機種グループ識別情報に対応する前記設定情報を受信することを特徴とする。
【００２５】
前記識別情報送出手段は、前記画像処理装置が属する機種を識別する機種識別情報をも送出し、前記受信手段は、送出したユーザ識別情報及び機種識別情報に対応する前記設定情報を受信することを特徴とする。
【００２６】
前記識別情報送出手段は、前記画像処理装置を識別する装置識別情報をも送出し、前記受信手段は、送出したユーザ識別情報及び装置識別情報に対応する前記設定情報を受信することを特徴とする。
【００２７】
また、本発明に係る画像処理装置は、
上記いずれか一つの画像処理システムを構成することを特徴とする。
【００２９】
本発明に係る画像処理システムの制御方法は、
原稿画像を読取って画像データに変換する画像読取手段と、前記画像読取手段で読取った画像データに基づいて記録材に画像を形成する画像形成手段と、画像処理装置固有の設定情報を記憶する装置設定記憶手段と、を有する画像処理装置と、
該画像処理装置の設定情報をユーザ識別情報と対応させてユーザごとに記憶するユーザ設定記憶手段を有する情報処理装置と、
を含む画像処理システムの制御方法であって、
ユーザを識別するユーザ識別情報を前記画像処理装置に入力する識別情報入力工程と、
前記ユーザ識別情報を前記画像処理装置から前記ユーザ設定記憶手段に送出する識別情報送出工程と、
前記情報処理装置の前記ユーザ設定記憶手段から、前記ユーザ識別情報に対応する前記設定情報を前記画像処理装置により受信する受信工程と、
前記装置設定記憶手段の前記設定情報の内容を、前記受信工程で受信した前記設定情報に基づいた内容に、変更する設定変更工程と、
前記受信工程において受信した前記設定情報に基づいた画像形成が可能か否かを判定する判定工程と、
前記受信工程で受信した前記設定情報に基づいた画像形成が可能である場合に、該設定に基づいた画像形成を、前記画像形成装置の操作部からの画像形成開始指示により、前記画像形成手段に実行させ、一方、前記受信工程において受信した前記設定情報に基づいた画像形成が不可能である場合に、エラー情報を表示させる制御工程と、
を有することを特徴とする
【００３０】
本発明に係るコンピュータ可読メモリは、
原稿画像を読取って画像データに変換する画像読取手段と、前記画像読取手段で読取った画像データに基づいて記録材に画像を形成する画像形成手段と、画像処理装置固有の設定情報を記憶する装置設定記憶手段と、を有する画像処理装置と、
該画像処理装置の設定情報をユーザ識別情報と対応させてユーザごとに記憶するユーザ設定記憶手段を有する情報処理装置と、
を含む画像処理システムの制御プログラムを格納したコンピュータ可読メモリであって、
前記制御プログラムは、コンピュータに、
ユーザを識別するユーザ識別情報を前記画像処理装置に入力する識別情報入力工程と、
前記ユーザ識別情報を前記画像処理装置から前記ユーザ設定記憶手段に送出する識別情報送出工程と、
前記情報処理装置の前記ユーザ設定記憶手段から、前記ユーザ識別情報に対応する前記設定情報を前記画像処理装置により受信する受信工程と、
前記装置設定記憶手段の前記設定情報の内容を、前記受信工程で受信した前記設定情報に基づいた内容に、変更する設定変更工程と、
前記受信工程において受信した前記設定情報に基づいた画像形成が可能か否かを判定する判定工程と、
前記受信工程において受信した前記設定情報に基づいた画像形成が可能である場合に、該設定に基づいた画像形成を、前記画像処理装置の操作部からの画像形成開始指示により、前記画像形成手段に実行させ、一方、前記受信工程において受信した前記設定情報に基づいた画像形成が不可能である場合に、エラー情報を表示させる制御工程と、
を実行させることを特徴とする。
また、本発明に係る画像処理システムは、 複数の画像処理装置を含む画像処理システムであって、
前記複数の画像処理装置のそれぞれが、
原稿画像を読み取って画像データに変換する原稿読取手段と、
画像データに基づいて記録材に画像を形成する画像形成手段と、
ユーザによる操作を受け付ける操作部と、
自装置の設定情報を送信する送信手段と、
他の画像処理装置の送信手段により送信される設定情報を受信する受信手段と、
自装置の設定を、前記他の画像処理装置から受信した設定情報に基づいた設定に、変更する設定変更手段と、
前記他の画像処理装置からの設定情報に基づいた設定で、自装置の画像形成手段により画像形成が可能か否かを判定する判定手段と、
前記他の画像処理装置からの設定情報に基づいた設定で、自装置の画像形成手段により画像形成が可能である場合に、該設定に基づいた画像形成を、自装置の操作部からの画像形成開始指示により、自装置の画像形成手段に実行させ、一方、前記他の画像処理装置からの設定情報に基づいた設定で、自装置の画像形成手段により画像形成が不可能である場合に、自装置の操作部にエラー表示を実行させる、制御手段と、
を有することを特徴とする。
また、本発明に係る画像処理装置は、原稿画像を読み取って画像データに変換する原稿読取手段と、
画像データに基づいて記録材に画像を形成する画像形成手段と、
ユーザによる操作を受け付ける操作部と、
を有し、他の画像処理装置と通信可能な画像処理装置であって、
前記他の画像処理装置から、前記他の画像処理装置の設定情報を受信する受信手段と、
自装置の設定を、前記他の画像処理装置から受信した設定情報に基づいた設定に、変更する設定変更手段と、
前記受信手段で受信した設定情報に基づいた設定で、自装置の画像形成手段により画像形成が可能か否かを判定する判定手段と、
前記受信手段で受信した設定情報に基づいた設定で、自装置の画像形成手段により画像形成が可能である場合に、該設定情報に基づいた画像形成を、前記操作部からの画像形成開始指示により、前記画像形成手段に実行させ、一方、前記受信手段で受信した設定情報に基づいた設定で、自装置の画像形成手段により画像形成が不可能である場合に、前記操作部にエラー表示を実行させる、制御手段と、
を有することを特徴とする。
また、本発明に係る画像処理システムの制御方法は、原稿読取手段と操作部と画像形成手段を有する複数の画像処理装置を含む画像処理システムの制御方法であって、
前記複数の画像処理装置のそれぞれにて、
自装置の設定情報を送信可能にし、
他の画像処理装置から送信される設定情報を受信可能にし、
自装置の設定を、前記他の画像処理装置からの設定情報に基づいた設定に、変更可能にし、
前記他の画像処理装置からの設定情報に基づいた設定で、自装置の画像形成手段により画像形成が可能か否かを判定可能にし、
前記他の画像処理装置からの設定情報に基づいた設定で、自装置の画像形成手段により画像形成が可能である場合に、該設定に基づいた画像形成を、自装置の操作部からの画像形成開始指示により、自装置の画像形成手段に実行可能にし、一方、前記他の画像処理装置からの設定情報に基づいた設定で、自装置の画像形成手段により画像形成ができない場合に、自装置の操作部にエラー表示を実行させる、ことを特徴とする。
また、本発明に係る画像処理装置の制御方法は、原稿読取手段と操作部と画像形成手段を有する画像処理装置の制御方法であって、
他の画像処理装置から、他の画像処理装置の設定情報を受信する受信工程と、
自装置の設定を、前記他の画像処理装置からの設定情報に基づいた設定に、変更する変更工程と、
前記他の画像処理装置からの設定情報に基づいた設定で、前記画像形成手段により画像形成が可能か否かを判定する為の判定工程と、
前記他の画像処理装置からの設定情報に基づいた設定で、前記画像形成手段により画像形成が可能である場合に、該設定に基づいた画像形成を、前記操作部からの画像形成開始指示により、前記画像形成手段に実行させ、一方、前記他の画像処理装置からの設定情報に基づいた設定で、前記画像形成手段により画像形成ができない場合に、前記操作部にエラー表示を実行させる制御工程と、
を有することを特徴とする。
【００３１】
【発明の実施の形態】
以下に、図面を参照して、この発明の好適な実施の形態を例示的に詳しく説明する。ただし、この実施の形態に記載されている構成要素の相対配置、数式、数値等は、特に特定的な記載がない限りは、この発明の範囲をそれらのみに限定する趣旨のものではない。
【００３２】
以下の実施の形態に共通する本発明の概念は、モードメモリ、ＦＡＸ番号登録、色登録など、従来、各装置毎にユーザ共有で記憶させていたものをネットワーク接続されたパーソナライズサーバに記憶させ、ユーザが装置使用時に、ＩＤ情報を基にアクセスしてそれらを使用するシステム及びそれを構成するＭＦＰ（Ｍｕｌｔｉ  Ｆｕｎｃｔｉｏｎ  Ｐｅｒｉｐｈｅｒａｌ）にある。情報の集中管理ができ、個別装置に登録不要。どの装置でも同じ操作性を実現できる。更に、従来は容量の制限で実現できなかった、画面のカスタマイズ、スペシャルプログラム、個人用画像、個人用フォームなどもダウンロードしてもよい。
【００３３】
（第１の実施の形態）
図２は、本発明に係る画像処理装置の第１の実施の形態としてのカラー複写機１の概略構成を示すブロック図である。
【００３４】
図示するように、カラー複写機１と、パーソナライズサーバ３とはネットワーク２を介して接続されていて、後述するパーソナライズ情報は、このネットワーク２を介して授受される。ネットワーク２には、カラー複写機１と、パーソナライズサーバ３の他に、他の複写機４、ＦＡＸ５、プリンタ６も接続可能であり、これらの機器もネットワーク２を介してパーソナライズサーバ３とパーソナライズ情報をやりとりする事が可能な構成となっている。
【００３５】
次にカラー複写機１の内部について説明すると、まず、画像読み取り部９で原稿画像を読み取って得られたデジタル画像データ１０は画像処理部１１に送られ、ここで拡大縮小等の様々な画像処理を施され、画像処理を施された画像データ１２は画像形成部１３に送られて、ここで画像形成が行われる。この画像読み取り、画像処理、画像形成を行うための様々な設定は、ユーザにより操作部８を用いて行われる。また、ＣＰＵ１７は操作部８による設定に基づき、各部を制御して、指定された設定に応じたコピーを行うためのものであり、ＲＯＭ１８内のプログラムに従って動作する。ＲＯＭ１８は電源をオフしても内容が揮発しない、書き換え不可なメモリであり、プログラムや固定的なデータを保持するのに使われる。揮発性ＲＡＭ１９は、電源をオフすると内容が揮発する性質の安価で書き換え可能なメモリであり、一時的なデータを保持するのに使用される。不揮発性ＲＡＭ２０は、電源をオフしても内容が揮発しない、比較的高価な書き換え可能なメモリであり、記憶させておきたいデータを保持するのに使用される。
【００３６】
ＩＤカードリーダ２１は、各ユーザが個別に持つＩＤカードを読み取ってＩＤ情報を取得するためのものであって、本実施の形態では、挿入されたＩＤカードから情報を読み取る接触型のカードリーダである。周辺インタフェース１４は後述する原稿自動給紙部１５やステープルソートユニット１６などの周辺装置に内蔵されるサブＣＰＵと通信するためのものであり、コピー動作を行う場合は、これらの周辺装置と通信を行いながら、ＣＰＵ１７の制御に基づいてコピーが実行される。外部インタフェース７はネットワーク２を介して、ＣＰＵ１７がパーソナライズサーバ３と通信するためのインタフェースである。最後に２２は各部を接続するＣＰＵバスである。
【００３７】
図３は、カラー複写機１の画像形成部１３を中心とした概略構成図である。まず、原稿自動給紙部１５については従来の複写機でも使用されているため、詳細を説明しないが、複数の原稿を載置しておき、それを１枚ずつ原稿読み取り位置に運ぶための装置である。この原稿自動給紙部１５から給紙された原稿や、不図示の原稿読み取り位置上に手動で置かれた原稿は、不図示の光学系とカラーＣＣＤ等から構成される画像読み取り部９を用いて読み取られてＲＧＢ画像データに変換され、画像処理部１１に送られＭＣＹＫデータ１２に変換される。
【００３８】
本実施の形態における画像形成部１３は、フルカラーの電子写真方式プリンタであり、画像処理部１１から送られる１画素につきＭＣＹＫ各８ｂｉｔモードのラスタ形式の画像データ１２に基づいて画像形成を行う。ただし、実際の画像形成はＭＣＹＫの４色のトナーを用いて色ごとに順番に、即ち面順次に行われるため、画像形成部１３内部での各ＭＣＹＫ色成分の形成に合わせて、画像処理部１１からはＭ８ビットデータ、Ｃ８ビットデータ、Ｙ８ビットデータ、Ｋ８ビットデータが面順次に送られる。即ち、画像形成部１３での４色の形成に対応して、画像読み取り部９では４回のＲＧＢ画像データ読み取りが行われ、各回ごとに画像処理部でＭ８ビットデータ、Ｃ８ビットデータ、Ｙ８ビットデータ、Ｋ８ビットデータがそれぞれ生成されて画像形成部１３に送られる。
【００３９】
また、画像処理部１１では、ＲＧＢからＭＣＹＫへの変換の他に、拡大／縮小を行う変倍処理なども行う。ＲＧＢからＭＣＹＫへの変換や、拡大／縮小処理自体は、現在のデジタルカラー複写機で一般的に使われているデジタル画像処理技術のため、詳細の説明は省略する。
【００４０】
画像形成部１３では、形成動作の起動がかかり、まずＭの画像形成が始まると、それに合わせて画像読み取り部９でＲＧＢデータとして読み取られ、画像処理部１１でＭデータに変換されたＭラスタ画像データ１２はレーザ駆動部３１に渡され、そのデータをもとにレーザ光が変調される。変調されたレーザ光は感光ドラム３２上に走査照射されて潜像を形成し、不図示のＭトナーの現像器により現像されてＭトナー画像となる。一方、それと並行して上段カセット３３、または、後述する両面トレー３４、または下段カセット３５から給紙された用紙は転写ドラム３６に巻き付けられる。そして、感光ドラム３２上のＭトナー画像は転写ドラム上の用紙上に転写される。Ｍトナー画像の転写が終わると、次はＣラスタ画像データについて、画像読み取り部でのＲＧＢデータの読み取り、画像処理部でのＣデータへの変換、潜像形成、現像、転写が行われ、以後ＹとＫについても同様に行われることにより、転写ドラム３６上の用紙上に、ＭＣＹＫのトナー画像が転写される。ＭＣＹＫのトナー画像が転写された用紙は定着器３７でトナーを溶融定着されフルカラー画像となる。定着された用紙は、通常コピーの場合、ステープルソータユニット１６に送られ、通常は一番上部の排紙トレー３９ａ上に排紙される。
【００４１】
一方、両面コピーの第１面コピーの場合、定着器３７を通った用紙は反転部４０に送られ、反転部４０で進行方向を反転され、両面トレー３４に入る。この時、第１面画像は紙の上部側となる。ついで、両面トレー３４から給紙された用紙は、片面コピー時と同様な経路で第２面がコピーされ、排紙される。この結果、最初に画像が形成された第１面は、排紙された紙の下部側となり、第２面は、排紙された紙の上部側となる。
【００４２】
さらに、複数ページ複数部のソートコピーの場合、ステープルソータユニット１６に送られた１部目は排紙トレー３９ａに排紙され、２部目は排紙トレー３９ｂに排紙され、３部目は排紙トレー３９ｃに排紙されるなど、各部が、各排紙トレーに振り分けて出力される。要するに各排紙トレーには複数ページ１部の出力が積載される。図３は略図のため、排紙トレーは３個しか書いていないが、実際には１０個とか、２５個とかで構成される。
【００４３】
また、ステープルソータユニット１６にはステープルユニット３８が付属しており、各排紙トレー上に積載された用紙をステープルする機能を持っている。通常、この機能はソートコピー機能と組み合わせて使用されるため、ステープルソートコピー機能と呼ぶ。ソートコピー機能と組み合わせた場合には、複数ページ１部の出力ごとにステープルされ、それが複数部分、得られる。
【００４４】
図４は、カラー複写機１の操作部８のキー＆表示配置図である。この操作部は、画像処理装置１を用いてコピーを行う場合に、ユーザが各コピー用動作指示を画像処理装置１に伝えたり、装置の状況や、現在設定されている各コピー用動作指示をユーザが確認するためのものである。まず、４２は、操作部全体の設定を初朋状態に戻すＲｅｓｅｔキーと、コピー動作を開始させるＳｔａｒｔキーと、コピー動作を停止させるＳｔｏｐキーである。
【００４５】
４３はコピー部数の設定を行うテンキーおよび置数のクリアをおこなうＣ（クリア）キーである。そして、４４は入力されたコピー部数を表示する置数表示部である。次に、４５は上からノンソートコピー、ソートコピー、ステープルソートコピーを選択するためのキー及び選択状況を確認するＬＥＤである。次に４６は上から、片面原稿を片面コピーする通常コピー、片面原稿を両面コピーする両面コピー、両面原稿を両面コピーする両面コピー（以降両両コピーと称す）を選択するためのキー及び選択状況を確認するＬＥＤである。次に、４７はコピー時の給紙段を選択するためのキー及び選択状況を確認するＬＥＤであり、Ｕｐｐｅｒは上段カセット、Ｌｏｗｅｒは下段カセットからの給紙を選択する。
【００４６】
一方、４８は選択された給紙段に、現在どのサイズの用紙が入っているか、及び、普通紙が入っているか、トランスペアレンシーが入っているか、何も入っていないかを通知するものである。これらのサイズ検知、および紙種検知、及び用紙ありなし検知は各カセット中の不図示のセンサを用いて制御部１４が行い、表示を行う。次に、４９は拡大、縮小、または等倍コピーを選択するキー及び選択状況を確認するＬＥＤである。一番上はＡ４原稿をＡ３用紙に拡大コピーすることを選択し、次の２つも倍率の異なる拡大コピーを選択するキーである。上から４つめは等倍コピーを選択するキーである。上から５つめはＡ３原稿をＢ４用紋に縮小コピーを選択するキーであり、次の２つも倍率の異なる縮小コピーを選択するキーである。
【００４７】
次に、５０はモードメモリの呼び出しキー、及びモードメモリの登録キー、及びデフォルトモード設定キーである。モードメモリとは、操作部８で設定された各コピー動作指示の組み合わせ（モード）を記憶するためのものであり、５０におけるＭ１〜Ｍ８キーがそれぞれ１つの組み合わせ（モード）に対応し、計８個のモードを登録できる。モードメモリに登録するためには、まず登録したい各コピー動作指示の組み合わせを操作部８で設定した後、Ｓｅｔキーを押しながら例えばＭ１キーを押すと、Ｍ１に登録される。
【００４８】
ついでモードメモリの呼び出しは、単にＭ１〜Ｍ８キーを押すだけでよく、モードメモリ中に記憶されていた各コピー動作指示の組み合わせに応じて操作部８の各コピー動作指示が自動的に設定される。一方、デフォルトモードとは、電源オン時、及び、４２のＲｅｓｅｔキーを押した場合の、操作部８の初期状態を登録するためのものである。デフォルトモードを登録するためには、まず初期状態としたい各コピー動作指示の組み合わせを操作部８で設定した後、５０のＤｅｆａｕｌｔキーを押すことにより登録される。例えば、４６の両面モードの設定において両面コピーを選択した状態で、Ｄｅｆａｕｌｔキーを押すと、それがデフォルトとして登録され、電源オン時や、４２のＲｅｓｅｔキーを押した場合には、両面モードについては両面コピーが選択された状態になる。
【００４９】
次に、２１は操作部の下部に設けられたＩＤカードリーダであり、ここにＩＤカード４１を挿入して不図示の接点を経由してＩＤ情報を読み取る。複写機にＩＣカード等を挿入して、様々な情報を伝達する機能は既に製品化されているため、詳述はしないが、例えばＩＤカード４１の端部とＩＤカードリーダ２１が、コネクタにより電気的に接続される方式により、ＣＰＵ１７がＩＤカード４１内部の不図示のメモリに書き込まれているＩＤ情報を読み取ることができる。最後に、５１はパーソナライズキーであり、ＩＤカード４１が装着された状態で、このキーを押すことにより、操作部８の各設定をユーザ個人用にパーソナライズするためのキーである。
【００５０】
本実施の形態では、コストを抑えるため、操作部４１をキー＆ＬＥＤで構成したが、これを第２の実施の形態のように液晶表示部＆タッチパネルで構成すると、各コピー動作指示について柔軟な設定が行え、また各種状態表示も詳細に表示できるようになる。
【００５１】
図５は、カラー複写機１における各種の編集処理を説明するための図である。
【００５２】
まず、図５（ａ）は、ソート機能を説明するための図である。３ページの原稿の３部コピーにおいて、図４の操作部の４５でソートコピーが指示された場合、原稿自動給紙部において、３ページ目の原稿がまず原稿読み取り位置に運ばれ、その１部目がコピーされて、ステープルソータユニット１６の一番上部の排紙トレー３９ａ上に排紙される。ついで、３ページ目の２部目がコピーされて、排紙トレー３９ｂ上に排紙される。ついで、３ページ目の３部目がコピーされて、排紙トレー３９ｃ上に排紙される。これが、２ページ目と１ページ目について繰り返されることにより、各排紙トレー上に、３ページ１部ずつ排紙される。これがソート機能である。一方、ソート機能を使わないノンソートコピーの場合は、３ページ目の３部が全て一番上部の排紙トレー３９ａ上に排紙され、ついで２ページ目の３部が全て、その上に排紙され、最後に１ページ目の３部が全て、その上に排紙される。
【００５３】
図５（ｂ）は、ステープル機能を説明するための図である。ステープル機能は通常ソート機能と組み合わせて使われ、各排紙トレー上にソート出力された各部を、ステープルユニット３８により、図５（ｂ）に示すように例えば５３の位置でステープルするものである。
【００５４】
図５（ｃ）は、片面原稿を両面コピーする両面コピー機能を説明するための図である。図５（ｃ）では、４ページの片面原稿が用紙の両面にコピーされ、２枚の両面コピー出力が得られる様子を示している。この両面コピーにおいては、まず、原稿自動給紙部において、４ページ目の原稿がまず原稿読み取り位置に運ばれ、それが１枚目の用紙の裏面にコピーされて、両面トレー３４に排紙される。ついで、３ページ目の原稿が原稿読み取り位置に運ばれ、それが両面トレーから給紙された１枚目の用紙の表面にコピーされる。ついで２ページ目と１ページ目についても同様に処理されることによって両面コピーが実現される。
【００５５】
図５（ｄ）は、両面原稿を両面コピーする両両コピー機能を説明するための図である。図５（ｄ）では、４ページ（２枚）の両面原稿が用紙の両面にコピーされ、４ページ（２枚）の両面コピー出力が得られる様子を示している。この両両コピーにおいては、まず、２枚目の原稿の裏面（４ページ目）が読み取られて、１枚目の用紙の裏面にコピーされ、ついで原稿自動給紙部において２枚目の原稿が反転されて表面（３ページ目）が読み取られて、１枚目の用紙の表面にコピーされて排紙される。ついで、１枚目の原稿についても同様に処理されることによって両両コピーが実現される。
【００５６】
図６は、カラー複写機１における各種設定データを説明するための図である。
【００５７】
図６（ａ）は、不揮発性ＲＡＭ２０内のデータの保持状況であり、まず、操作部８上の各モードメモリキーＭ１〜Ｍ４に対応するモードメモリの内容がそれぞれ６１ａ〜６１ｄに記憶される。次に６１ｅは、操作部のところで説明したデフォルトモードを記憶するための領域である。次に、６１ｆは、その他の登録データを保持する領域である。不揮発性ＲＡＭ２０内のデータは、複写機の電源をオフしても消えないため、これらのモードメモリやデフォルトモードの内容も消えることはない。
【００５８】
本実施の形態においては、モードメモリＭ１〜Ｍ４は、全ユーザに共通となっており、パーソナライズの対象となっていない。よって、不揮発性ＲＡＭに記憶される。また、６１ｅに記憶されるデフォルトモードも、全ユーザに共通のものであり、パーソナライズが行われない場合は、この６１ｅのデフォルトモードメモリＡ中のデフォルトモードが、後述する６２ｆのデフォルトモードメモリＢにコピーされて使われる。
【００５９】
図６（ｂ）は、揮発性ＲＡＭ１９内のデータの保持状況であり、まず、操作部８上に現在設定されているコピーモードが６２ａに記憶される。次に、操作部８上の各モードメモリキーＭ５〜Ｍ８に対応するモードメモリの内容がそれぞれ６２ｂ〜６２ｅに記憶される。次に６２ｆは、操作部のところで説明したデフォルトモードを記憶するための領域である。次に、６２ｇは、作業用のワーク領域であり、その一部に、複写機に装着されている上段カセットの紙サイズと用紙種別を検知した結果を保持する領域６２ｈと、下段カセットの紙サイズと用紙種別を検知した結果を保持する領域６２ｉが含まれる。
【００６０】
揮発性ＲＡＭ１９内のデータは、複写機の電源をオフすると消えるため、電源オン時には各領域には初期値が設定される。具体的には、不揮発性メモリ２０中のデフォルトモードメモリＡ６１ｅ中のデフォルトモードが、現在のコピーモード６２ａ、各モードメモリ６２ｂ〜６２ｅ、デフォルトモードメモリＢ６２ｆにコピーされる。また、６２ａ〜６２ｆの領域の値は各ユーザごとにパーソナライズ可能であり、パーソナライズが行われた場合は、この領域のデータが各ユーザ用のデータに書き換えられる。また、パーソナライズを解除する場合には、この領域のデータは、電源オン時と同様、不揮発性メモリ中のデフォルトモードメモリＡ中のデフォルトモードに置き換えられて初期化される。
【００６１】
図６（ｃ）は、コピーモードの構成要素の具体例を示すものである。１つのコピーモードは、コピー部数の設定６３ａ、ノンソートコピーやソートコピー等を指示するソートモードの設定６３ｂ、片面コピーや両面コピー等を指示する両面モードの設定６３ｃ、給紙段の選択６３ｄ、選択された給紙段の用紙サイズ６３ｅ、選択された給紙段の用紙種別６３ｆ、等倍コピーや拡大コピー等を指示する変倍モードの設定６３ｇから構成される。
【００６２】
この構成のコピーモードにおいて、各コピーモードメモリやデフォルトモードメモリに登録を行う場合は、現在のコピーモードが、各コピーモードメモリやデフォルトモードメモリにそのままコピーされる。一方、各コピーモードメモリやデフォルトモードメモリが呼び出される場合は、逆に、それらの内容が現在のコピーモード領域６２ａにコピーされるが、このとき、記憶されている給紙段に記憶されている紙サイズや用紙種別が入っていない場合がある。その場合は、紙サイズと用紙種別の方を優先して給紙段が変更されるが、一致するものがない場合は、不図示のメッセージ部に、一致する紙サイズと用紙種別がない事を表示する。
【００６３】
図７は、カラー複写機１におけるパーソナライズ情報のやりとりを説明するための図である。操作部８において、ＩＤカード４１が装着された状態で、パーソナライズキー５１が押されると、図７（ａ）に示すように、まず、複写機１からパーソナライズサーバ３に、機種グループＩＤ情報６４ａと、ユーザＩＤ情報６４ｂが送付される。機種グループＩＤ情報とは、例えばコピー機なら１、ＦＡＸなら２、プリンタなら３というように機種グループを識別する情報である。ユーザＩＤ情報とは、各ユーザを識別するための情報であり、例えばＡさんなら００００１、Ｂさんなら００００２というような情報である。パーソナライズサーバ３は、複写機１から、機種グループＩＤ情報６４ａと、ユーザＩＤ情報６４ｂが送付されると、機種グループ別、及びユーザ別に記憶していたパーソナライズ情報を取り出し、図７（ｂ）に示すように、複写機１にパーソナライズ情報を送り返す。本実施の形態のパーソナライズ情報は、図７（ｂ）に示すように、当該ユーザが前回の操作で行った最後の操作部の状態である、前回の最終コピーモード６５ａ、各コピーモードメモリ６５ｂ〜６５ｅ、当該ユーザ用のデフォルトコピーモード６５ｆから構成される。複写機１は、この送られてきたパーソナライズ情報を不揮発性メモリの領域６２ａ〜６２ｆにそれぞれコピーすることによりパーソナライズを実現する。ただし、現在のコピーモードにおける用紙の選択に関しては、パーソナライズ情報の内容と実際に装着されている用紙サイズ等が一致しない場合があるので、前述したコピーモードメモリ呼び出し時と同様にして処理する。
【００６４】
一方、操作部８において、パーソナライズが行われた後、ＩＤカード４１が抜かれると、図７（ｃ）に示すように、複写機１からパーソナライズサーバ３に、機種グループＩＤ情報６６ａと、ユーザＩＤ情報６６ｂと、その時点でのパーソナライズ情報６６ｃ〜ｈが送付される。パーソナライズサーバ３は、複写機１から、これらの情報を受け取ると、内部記憶していた、機種グループ別、及びユーザ別のパーソナライズ情報を書き換え更新する。
【００６５】
以上のように、機種グループＩＤ情報を伴ってパーソナライズ情報をやりとりし、機種グループ別にパーソナライズ情報を管理することにより、複写機やＦＡＸやプリントが共通のパーソナライズサーバを使うことができ、さらに機種固有の形でパーソナライズ情報を取得できる。
【００６６】
また、以上のように、複写機を使用した最後の状態のコピーモードを、パーソナライズサーバに送って記憶させ、次回の使用時にパーソナライズキーによって呼び出すことにより、前回のコピー操作の続きを行えるという、個人用のノートブックパソコン等で実現している、いわゆるレジューム機能を、複数のユーザが共同に使用する複写機において実現することができる。また、このレジューム機能は、前回操作を行った複写機と異なる複写機においても、前回のコピー操作の続きを行えるという特徴もある。
【００６７】
図１は、カラー複写機１の制御フローを説明するためのフローチャートである。まず、Ｓ１１では、パーソナライズキーが押されたかをチェックし、押された場合には、Ｓ１２でＩＤカード４１がＩＤカードリーダ２１に挿入されているかをチェックする。ＩＤカードがない場合はＳ１１に戻るが、ＩＤカードがある場合は、Ｓ１３でＩＤカード内からユーザＩＤ情報を取得し、ユーザＩＤを取得したことを示すフラグに１を立てる。ついで、Ｓ１４では、図７（ｂ）で説明したように、機種グループＩＤとユーザＩＤをパーソナライズサーバに送付し、Ｓ１５では、図７（ｂ）で説明したように、パーソナライズサーバからパーソナライズ情報を受け取る。ついで、Ｓ１６では、受け取ったパーソナライズ情報を、図６の各領域６２ａ〜ｆに書き込むことにより、操作部の各設定をパーソナライズする。そして、Ｓ１７では、パーソナライズされた設定でコピー可能かどうかを判定し、例えばパーソナライズされた現在のコピーモードに対応するサイズや種別の紙がない場合は、Ｓ１８でエラーを表示してＳ１１に戻る。一方、コピー可能な場合は、そのままＳ１１に戻る。
【００６８】
ついで、Ｓ１１でパーソナライズキーが押されていない場合は、Ｓ１９で、フラグが１でかつ、ＩＤカードが抜かれているかどうかを判定する。即ち、パーソナライズを行った後、ＩＤカードが抜かれたかどうかを判定する。ｙｅｓの場合は、操作終了を意味するので、Ｓ２０で、図７（ｃ）で説明したように、機種グループＩＤとユーザＩＤとパーソナライズ情報をパーソナライズサーバに送付し、パーソナライズ情報の更新を行い、フラグを０に戻し、また、パーソナライズ部分にデフォルトコピーモードメモリＡの内容をコピーして、パーソナライズ状態を解除する。
【００６９】
ついで、Ｓ１９でｎｏの場合は、Ｓ２１で、モードメモリの呼び出しキーであるＭ１〜Ｍ８のどれかが押されたか判定し、押されている場合は、Ｓ２２で押されたモードメモリの内容を現在のコピーモード領域にコピーし、操作部に設定し、Ｓ１１に戻る。Ｓ２１で、モードメモリの呼び出しキーが押されていない場合には、Ｓ２３で、それ以外のキーが押されているか判定し、押されている場合はＳ２４で各キーに応じた処理を行い、Ｓ１１に戻る。最後に、Ｓ２５では、コピースタートキーが押されたかどうかを判定し、押されている場合は、Ｓ２６で、操作部に現在設定されている設定に基づいてコピーを行い、その後、Ｓ１１に戻る。
【００７０】
本実施の形態では、ＩＤカードを挿入された後、パーソナライズキーが押されたタイミングでパーソナライズを行うようにしたが、これを、ＩＤカードを挿入されたらパーソナライズを行うようにした方式も好適である。前者の方式は、任意のタイミングでパーソナライズを行えるという利点があり、後者の方式は、パーソナライズキーを押す必要がないという利点がある。
【００７１】
（第２の実施の形態）
次に図８乃至図１５を用いて、本発明に係る画像処理装置の第２の実施の形態としての複写機について説明する。
【００７２】
本発明の第２の実施の形態は、第１の実施の形態とは、ネットワークへの接続手段、パーソナライズサーバの個数、操作部の構成、ＩＤ詔識手段、パーソナライズ登録方法、パーソナライズ項目等が異なっている。その他の構成及び作用については第１の実施の形態と同様であるため、同一構成要素には同一番号を付して説明を省略する。以下に第１の実施の形態との相違部分について説明を行う。
【００７３】
図８は、本実施の形態としてのカラー複写機の概略構成及びそれを含むシステムを示す図である。
【００７４】
まず、第１の実施の形態と第１に異なる点は、カラー複写機１がネットワーク２と画像処理装置７２を介在して接続される点である。この画像処理装置７２は内部に画像メモリを持ち、コンピュータからネットワーク２経由で画像データを受け取って、内部の画像メモリに展開し、カラー複写機１に送ってプリントするカラープリント機能を実現するものである。このような場合は、カラー複写機１に直接ネットワーク２を接続する代わりに、画像処理装置７２を介してネットワーク２に接続する方が、ネットワーク接続部を兼用できるので好ましい。この場合、パーソナライズ用のユーザＩＤ情報、機種情報、パーソナライズ情報は、画像処理装置を経由して、カラー複写機とパーソナライズサーバ間でやりとりされる。このように画像処理装置などを経由してネットワーク接続されたパーソナライズサーバにアクセスする場合も、本発明の意図する範囲に含まれる。
【００７５】
次に、第１の実施の形態と第２に異なる点は、パーソナライズサーバが、１つではなく複数ある点である。即ち、あるユーザについてはパーソナライズサーバ３ａからパーソナライズ情報を取得し、別のユーザについてはパーソナライズサーバ３ｂからパーソナライズ情報を取得する。どのパーソナライズサーバから、パーソナライズ情報を取得するかという情報は、本実施の形態の場合は、ＩＤカードに記憶されているユーザＩＤ情報の一部として取得する構成となっているが、これを例えば、ユーザＩＤ情報をネットワーク上の各装置にブロードキャストし、そのユーザＩＤ情報に対応するパーソナライズ情報を保持しているパーソナライズサーバが、それに応答してパーソナライズ情報を送り返すような構成にしても良い。
【００７６】
次に、第１の実施の形態と第３に異なる点は、パーソナライズサーバが専用のサーバではなく、各ユーザが所有している各パーソナルコンピュータである点である。ネットワークに接続されている各パーソナルコンピュータは、各ネットワークアドレスを持っており、ＩＤカードに記憶されているユーザＩＤ情報の一部として、このネットワークアドレスが記載されている。よって、パーソナライズが行われる場合は、ＩＤカードから読み出されたネットワークアドレスを持つパーソナルコンピュータに対して、パーソナライズ情報の転送が要求され、それに応じて各ユーザのパーソナルコンピュータからパーソナライズ情報が送られてくる。第１の実施の形態の構成では、パーソナライズ情報を集中管理でき、またパーソナライズサーバがつねに存在するという利点があるが、本実施の形態の構成では、専用のパーソナライズサーバを作る必要がなく、また各ユーザが自分のパーソナルコンピュータで、パーソナライズ情報を編集しうるという利点がある。
【００７７】
次に、第１の実施の形態と第４に異なる点は、ＩＤカードリーダ７３が非接触型のカードリーダである点である。近年、電波を利用した、非接触型のＩＤカードリーダが、オフィスのドア開閉管理用の通行者識別などに利用され始めている。また、電車の自動改札などの用途でも研究が進んでいる。この非接触型のＩＤカードリーダは、ＩＤカード側をバッテリーを持たせたＩＣカードで構成し、ＩＣカード側から電波を発生するなどすれば、比較的実現が簡単なので、詳細の説明は省略するが、非接触でＩＤ情報を授受できるものであれば、他の方式でも構わない。第１の実施の形態の構成は、既存の技術を使って実現でき、また、ユーザのＩＤカードを確実に識別できて、確実に読めるという利点がある。一方、本実施の形態の構成は、ユーザがＩＤカードを複写機に装着しなくても、ＩＤカードを身につけたまま、装置の前に立つだけで、ＩＤ情報を伝達できるという利点がある。
【００７８】
図９は、第２の実施の形態としての複写機の操作部７４のキー＆表示配置図である。非接触型のＩＤカードリーダ７３は操作部下部に位置し、ＩＤカード８１から非接触でＩＤ情報を取得する。
【００７９】
次に、第１の実施の形態と第５に異なる点は、第１の実施の形態では、ＩＤカードを抜いた時点でパーソナライズサーバ中のパーソナライズ情報を更新したが、本実施の形態では、操作部７４中の８２に示すＲｅｇｉｓｔキーを明示的に押した時点で、更新するようにした点である。第１の実施の形態では、キー操作を行うことなく、自動的に更新される利点があるが、本実施の形態では、更新したくない場合には更新しないようにできるという利点がある。
【００８０】
次に、第１の実施の形態と第６に異なる点は、操作部７４の中央部の８４の領域を、液晶表示部と、その上に配置された透明なタッチパネルで構成した点である。即ち、領域８４上に任意の表示を行え、また、好きな位置にキーを配置することができる。図９の場合は、個別の設定を行っていない、標準状態の場合に領域８４に表示される標準画面の様子を示している。この場合、各個別設定で設定された設定結果のみが領域８４に表示される。図９の表示は、上段からＡ４サイズの普通紙を給紙し、片面、等倍、単色、ソートでコピーを行うことを意味している。また、各個別設定は、操作部７４の左側の各個別設定開始キー領域８３の各キーを押して設定を行う。
【００８１】
次に、第１の実施の形態と第７に異なる点は、領域８４の左下部に、認識したユーザＩＤ情報を表示して、ユーザが確認できるようにした点である。第１の実施の形態では、挿入型のＩＤカードであるので、誤読み取りは無視できるが、本実施の形態では、非接触型のＩＤカードであるので、通行人など、ユーザ以外のＩＤカードに反応して、その間違ったＩＤ情報に基づいてパーソナライズを行うのを避けるため、ユーザがＩＤ情報を確認できることは重要である。
【００８２】
次に、第１の実施の形態と第８に異なる点は、カラー複写機の操作部７４を用いて指定する画像編集機能として、単色カラーと、合成が追加されている点である。これらの設定も、操作部７４の左側の領域８３内の単色カラー設定開始キーと、合成設定開始キーを押して設定を行う。
【００８３】
次に、第１の実施の形態と第９に異なる点は、カラー複写機の操作部７４を用いて登録する項目として、第１の実施の形態では、コピーモードメモリとデフォルトコピーモードなどのコピーモードを登録していたが、本実施の形態では、それらに加えて、各種の登録も行えるようにした点である。この各種の登録も、操作部７４の左側の領域８３内の登録設定開始キーを押して設定を行う。
【００８４】
図１０、図１１は、本実施の形態としての複写機において各個別設定を行う場合の、液晶表示部８４の各表示を説明するための図である。まず、領域８３内のソート設定開始キーが押されると、図１０（ａ）の画面が、液晶表示部８４に表示されて、ソートモードの設定が開始される。ユーザは、設定したいソートモードの左側に表示されているキーを指で触り、それを不図示のタッチパネルで検出することにより、指示されたソートモードが選択される。ついで、Ｓｅｔキーを押すことにより、ソートモードの設定が終了し、図９の標準画面に戻る。第１の実施の形態と同じ機能である、両面モード、用紙選択、変倍なども同様にして設定される。
【００８５】
次に、領域８３内の登録設定開始キーが押されると、図１０（ｂ）の画面が、液晶表示部８４に表示されて、登録設定が開始される。まず、一番上は色登録を開始する指示であり、２番目は画像登録を開始する指示であり、３番目は各種タイマ値と音の設定を開始する指示であり、４番目はカラーバランスの設定を開始する指示である。図１０（ｂ）で、色登録の開始を指示するキーが押されると、液晶表示部８４の画面は図１０（ｃ）の画面に切り替わる。色登録では８色までの色を登録できる。登録作業はまず、登録したい色の番号を選択し、登録したい色の原稿を、不図示の原稿読み取り位置上の所定の位置におき、図１０（ｃ）の登録キーを押すと画像読み取り部９により、その色が読み取られて、対応するＭＣＹＫ画像データの値が揮発性ＲＡＭ１９内に記憶される。そして、登録が終われば、図９の標準画面に戻る。本実施の形態では、この色登録情報もパーソナライズ可能となっている。すなわち、各ユーザごとに８色までの自分専用の色登録データを使用することができる。
【００８６】
次に、図１０（ｂ）で画像登録の開始を指示するキーが押された場合は、液晶表示部８４の画面は図１０（ｄ）の画面に切り替わる。画像登録では８個までの画像を登録できる。登録作業はまず、登録したい画像の番号を選択し、登録したい原稿画像を、不図示の原稿読み取り位置上の所定の位置におき、図１０（ｄ）の登録キーを押すと画像読み取り部９により、その画像が読み取られて、各画素のＲＧＢ画像データの値が画像処理部１１内の後述する揮発性メモリ内に記憶される。本実施の形態では、この画像登録情報もパーソナライズ可能となっている。すなわち、各ユーザごとに８個までの自分専用の登録画像を使用することができる。
【００８７】
次に、図１０（ｂ）でタイマ／音設定の開始を指示するキーが押された場合は、液晶表示部８４の画面は図１１（ａ）の画面に切り替わる。タイマ／音設定では、まず一番上で、オートクリアタイマ値の設定を行う。オートクリアタイマとは、ここで指定された時間（単位は秒）の間、操作が行われないと操作が終了したと見なして、自動的に操作部を初期状態、即ち、Ｒｅｓｅｔキーが押された場合と同じ状態に戻す機能である。次に、２番目は、オートオフタイマ値の設定を行う。オートオフタイマとは、ここで指定された時間（単位は分）の間、操作が行われないと、もう使われないと見なして、自動的に電源をオフする機能である。次に、３番目は、各キーを押した時に、不図示のスピーカーからキータッチ音を出すか出さないかの指示である。次に、４番目は、何らかのエラーが発生した時に、不図示のスピーカーからエラー警告音を出すか出さないかの指示である。本実施の形態では、このタイマ／音設定もパーソナライズ可能となっている。すなわち、各ユーザごとに自分専用のタイマ／音設定で操作部を使用することができる。
【００８８】
次に、図１０（ｂ）でカラーバランス設定の開始を指示するキーが押された場合は、液晶表示部８４の画面は図１１（ｂ）の画面に切り替わる。カラーバランスとは、カラー画像を形成するＭＣＹＫの各色成分について、個々に濃いめに形成したり、薄目に形成することを指示することで、ユーザの好みの色味で形成をおこなうための指示である。図１１（ｂ）では、ＭＣＹＫごとに、標準の濃さを１００％として、濃いめに形成する場合は大きな数値を、薄目に形成する場合は小さな数値になるように、上下キーを用いて設定する。設定が終了すればＳｅｔキーを押す。本実施の形態では、このカラーバランス設定もパーソナライズ可能となっている。すなわち、各ユーザごとに自分の好みのカラーバランス設定でコピーを行うことができる。
【００８９】
次に、領域８３内の単色カラー設定開始キーが押されると、図１１（ｃ）の画面が、液晶表示部８４に表示されて、単色カラー設定が開始される。単色カラーとは、後で詳述するが、原稿をコピーする場合に、フルカラーではなく、単色カラーで形成する機能であり、例えば赤一色でコピーされる。ただし、原稿中の濃度の濃い部分は濃い赤で、原稿中の濃度の薄い部分は薄い赤で、形成される。単色カラーで用いる色の指定は、図１１（ｃ）で、あらかじめ、図１０（ｃ）の画面を用いて登録しておいた色を指定することにより行う。また、単色カラーを止めて、通常のフルカラーで画像を形成するように戻す場合は、図１１（ｃ）のクリアキーを押す。
【００９０】
次に、領域８３内の画像合成設定開始キーが押されると、図１１（ｄ）の画面が、液晶表示部８４に表示されて、画像合成設定が開始される。画像合成とは、後で詳述するが、原稿をコピーする場合に、あらかじめ登録された画像と合成処理してコピーする機能であり、２つの原稿画像を合成して１枚の画像にするのに使われる。画像合成で用いる画像の指定は、図１１（ｄ）で、あらかじめ、図１０（ｄ）の画面を用いて登録しておいた画像を指定することにより行う。また、画像合成を止めて、通常のモードで画像を形成するように戻す場合は、図１１（ｄ）のクリアキーを押す。
【００９１】
図１２は、本実施の形態としての複写機の画像編集処理の詳細を説明するための図である。
【００９２】
まず、図１２（ａ）を用いて、単色カラー処理の仕組みを説明する。単色カラー処理では、まず、原稿を読み取った画像データを白黒濃度データに変換する。ついで、その白黒濃度データをＤとすると、Ｍ＝ｍ×Ｄ／２５５、Ｃ＝ｃ×Ｄ／２５５、Ｙ＝ｙ×Ｄ／２５５、Ｋ＝ｋ×Ｄ／２５５という変換処理により、ＭＣＹＫデータを生成する。ここで、ｍ，ｃ，ｙ，ｋは、単色にしたい登録色の色成分データである。これをグラフで表したものが、図１２（ａ）である。図１２（ａ）でも明らかなように、入力された白黒濃度データＤが変化しても、出力されるＭＣＹＫデータの比率は一定となる。このため、出力される色は、濃度に応じて変化する単色カラーとなる。
【００９３】
次に、図１２（ｂ）を用いて、画像合成処理について説明する。まず、合成したい画像８６をあらかじめ、画像登録を用いて、後述する画像処理部１１内の揮発性メモリに登録する。ついで、原稿画像８５をコピーする時に、登録された画像８６と合成処理を行うことにより、合成画像８７を得る。
【００９４】
図１３は、本実施の形態としての複写機の画像処理部１１の詳細ブロック図である。まず、画像処理部１１に入力されたＲＧＢ画像データ１０は、ＲＧＢ→ＭＣＹＫ変換回路９１により、ＭＣＹＫデータに変換される。ＭＣＹＫデータのうち、どれに変換されるかは、画像形成部がどの色成分を形成中かに応じて、ＣＰＵ１７がＣＰＵバス２２を介して指定する。生成されたＭＣＹＫデータは、通常はセレクタ９２、セレクタ９３をそのまま通り、変倍部９４で変倍処理を行われてＭＣＹＫデータ１２として、画像形成部１３に送られる。各セレクタは２入力のうちのどちらかを選択的に通すものであり、どちらを通すかは、ＣＰＵ１７がＣＰＵバス２２を介して指定する。
【００９５】
色登録を行う場合、画像処理部１１に入力されたＲＧＢ画像データ１０は、画像メモリ制御部９８を経由して、揮発性の画像メモリ９９内の所定の領域に書き込まれる。ついで、ＣＰＵ１７がＣＰＵバス２２を介して画像メモリの内容を読み出し、読み出されたＲＧＢデータはソフトによりＭＣＹＫデータ（ｍ，ｃ，ｙ，ｋ）に変換され、揮発性ＲＡＭ１９内に記憶される。
【００９６】
単色カラーモードコピーを行う場合、画像処理部１１に入力されたＲＧＢ画像データ１０は、濃度情報生成部９５で白黒濃度データ（Ｄ）に変換される。ついで、この白黒濃度データ（Ｄ）と、ＣＰＵ１７がＣＰＵバス２２を介してレジスタ９６に設定した係数との乗算が９７で行われる。この係数は、色登録で登録された登録色のＭＣＹＫデータ（ｍ，ｃ，ｙ，ｋ）であり、このＭＣＹＫデータが係数として、各色成分画像形成時にレジスタ９６に書き込まれることにより、前述した、Ｍ＝ｍ×Ｄ／２５５、Ｃ＝ｃ×Ｄ／２５５、Ｙ＝ｙ×Ｄ／２５５、Ｋ＝ｋ×Ｄ／２５５の計算が行われる。乗算器で生成された単色カラーデータを構成するＭＣＹＫデータは、セレクタ９２、セレクタ９３をそのまま通り、変倍部９４に送られる。
【００９７】
画像登録を行う場合、画像処理部１１に入力されたＲＧＢ画像データ１０は、画像メモリ制御部９８を経由して、画像メモリ９９内の所定の領域に書き込まれる。一方、画像合成コピーを行う場合は、画像メモリ９９内の所定の領域から読み出されたＲＧＢデータは、画像メモリ制御部９８を経由して、ＲＧＢ→ＭＣＹＫ変換回路１００に送られ、ＭＣＹＫデータに変換される。ついで、比較選択部１０１では、画像メモリ９９から送られてきたメモリ画像と、画像読み取り部９から送られてきたコピー画像との比較が画素ごとに行われ、値の大きな方が選択されて出力され、セレクタ９３をそのまま通り、変倍部９４に送られる。本実施の形態においては、白はＭ＝Ｃ＝Ｙ＝Ｋ＝０であり、値が大きい方が高濃度であるので、画素ごとに高濃度の方が選択されることにより合成が行われる。
【００９８】
図１４は、本実施の形態としての複写機におけるパーソナライズ情報のやりとりを説明するための図である。操作部７４において、ＩＤカード８１が近くにある状態で、領域８２のパーソナライズキーが押されると、図１４（ａ）に示すように、まず、複写機１から、あるネットワークアドレス１０２ａを持つパーソナライズサーバ３に、複写機１の装置ＩＤ情報１０２ｂと、機種ＩＤ情報１０２ｃと、機種グループＩＤ情報１０２ｄが送付される。パーソナライズサーバ３のネットワークアドレス１０２ａは、ＩＤカードから読み出された各ユーザの所有するパーソナルコンピュータのネットワークアドレスを使用する。即ち、この送り先である、ネットワークアドレス１０２ａ自体がユーザＩＤ情報といえる。次に、装置ＩＤ情報１０２ｂとは、各装置を識別する情報であり、具体的には、複写機１自身のネットワークアドレスが使われている。
【００９９】
次に、機種ＩＤ情報とは、例えばＡ社のＸという機種のコピー機なら１、Ａ社のＹという機種のコピー機なら２、Ｂ社のＺという機種のコピー機なら３というように、同じコピー機でも機種を識別する情報である。次に、機種グループＩＤ情報とは、例えばコピー機なら１、ＦＡＸなら２、プリンタなら３というように機種グループを識別する情報である。複写機１から、装置ＩＤ情報等を受け取った、各ユーザ別のパーソナライズサーバ３は、そのパーソナライズサーバが管理するユーザ用の、装置別に記憶していたパーソナライズ情報を取り出し、図１４（ｂ）に示すように、複写機１にパーソナライズ情報を送り返す。
【０１００】
本実施の形態のパーソナライズ情報は、図１４（ｂ）に示すように、第１の実施の形態で説明したようなコピーモード関連のパーソナライズ情報１０３ａの他に、図１０で説明した、色登録のパーソナライズ情報１０３ｂ、画像登録のパーソナライズ情報１０３ｃなどの補助画像関係のパーソナライズ情報、及び、タイマ／音設定のパーソナライズ情報１０３ｄ、カラーバランス登録のパーソナライズ情報１０３ｅなどのその他の補助設定のパーソナライズ情報から構成される。複写機１は、この送られてきたパーソナライズ情報を不揮発性メモリの不図示の各領域にそれぞれコピーすることによりパーソナライズを実現する。
【０１０１】
一方、操作部７４において、パーソナライズが行われた後、Ｒｅｇｉｓｔキーが押されると、図１４（ｃ）に示すように、複写機１から、ネットワークアドレス１０４ａのパーソナライズサーバ３に、装置ＩＤ情報１０４ｂ、機種ＩＤ情報１０４ｃ、機種グループＩＤ情報１０４ｄと、その時点でのパーソナライズ情報１０４ｅ〜ｉが送付される。各ユーザ別のパーソナライズサーバ３は、複写機１から、これらの情報を受け取ると、内部記憶していた、装置別のパーソナライズ情報を書き換え更新する。
【０１０２】
以上のように、装置ＩＤ情報を伴ってパーソナライズ情報をやりとりし、装置別にパーソナライズ情報を管理することにより、複数の装置でパーソナライズ情報を共有することはできなくなるが、逆に、各装置ごとにパーソナライズを行えるという利点が生じる。例えば、身近な低速複写機と、多人数で共有する高速複写機では、使用用途が違うため、よく使うモードが違う場合があるが、このような場合には、装置ごとにパーソナライズできた方が便利である。
【０１０３】
以上のように、第１の実施の形態では、複写機やＦＡＸといった機種グループ別にパーソナライズ情報を保持し、一方、本実施の形態では、装置別にパーソナライズ情報を保持しているが、これを、機種別にパーソナライズ情報を保持するようにした構成も好適である。この構成は、第１の実施の形態と本実施の形態の中間にあたり、同じ複写機でも、Ａという機種とＢという機種に対しては、異なるパーソナライズ情報を保持するが、Ａという機種のＡ１という装置と、Ａ２という装置では同じパーソナライズ情報を保持する。この方式は、装置構成などの共通な同一機種間ではパーソナライズ情報を共有でき、また、装置構成が異なる異機種間では、別のパーソナライズ情報を使えるという利点がある。
【０１０４】
以上のように、パーソナライズサーバに、装置ＩＤ情報、機種ＩＤ情報、機種グループＩＤ情報、ユーザＩＤ情報などの複数のＩＤ情報を送ることにより、どういうパーソナライズ情報を送るかを、パーソナライズサーバの判断にまかせることができるという利点がある。即ち、ユーザ別のみで全装置に共通にパーソナライズ情報を保持するパーソナライズサーバは、ユーザＩＤ情報のみで判断を行えば良い。一方、機種グループ別、かつユーザ別にパーソナライズ情報を保持するパーソナライズサーバは、機種グループＩＤ情報とユーザＩＤ情報で判断を行えば良い。また、装置別、かつユーザ別にパーソナライズ情報を保持するパーソナライズサーバは、装置ＩＤ情報とユーザＩＤ情報で判断を行えば良い。
【０１０５】
図１５は、本実施の形態としての複写機の制御フローを説明するためのフローチャートである。図１に示した第１の実施の形態のフローチャートと相違する点のみを説明する。図１と同様の処理を行なうステップについては、同じ符号を付してその説明は省略する。まず、Ｓ３２では、第１の実施の形態ではＩＤカードが挿入されているかどうかを判定したが、本実施の形態のＩＤカードリーダは非接触型なので、近くにＩＤカードがあるかどうかで判定する。次にＳ３３では、非接触のまま電波により、ユーザのパーソナルコンピュータのネットワークアドレスを含むユーザＩＤ情報を取得し、またフラグは使用しない。次にＳ３４では、取得したネットワークアドレスのパーソナルコンピュータを、使用するパーソナライズサーバに決定し、そのパーソナライズサーバにパーソナライズ情報を要求する。
【０１０６】
本実施の形態の場合は、パーソナライズ情報を要求する先が各ユーザごとのパーソナルコンピュータであるため、そのネットワークアドレス自体がユーザＩＤを表しているといってよく、この場合は、別途ユーザＩＤ情報をパーソナライズサーバに送る必要はない。次にＳ３５で、パーソナライズ情報をパーソナライズサーバから受け取る。本実施の形態のパーソナライズ情報は、第１の実施の形態における各コピーモードに加えて、図１０（ｂ）の登録設定で設定される、色登録情報や、画像登録情報などの編集用の補助画像データや、タイマ／音設定値や、カラーバランス設定値などの、コピーモードや音以外の補助設定をパーソナライズするためのものが含まれる。Ｓ３６では受信したパーソナライズ情報を元に、操作部での各設定をパーソナライズする。例えば、色登録データはパーソナライズ情報中のユーザごとの色登録データに置き換えられ、また画像処理部１１内の画像メモリ９９中の登録画像データも、パーソナライズ情報中のユーザごとの画像登録データに置き換えられる。
【０１０７】
次に、Ｓ３９では、第１の実施の形態ではフラグとＩＤカードなしを判定して、パーソナライズ情報の更新を行うようにしていたのを、本実施の形態では、ＩＤカードがある場合に、ユーザにより明示的にパーソナライズ情報の登録を指示するＲｅｇｉｓｔキーが押された場合にパーソナライズ情報の更新を行うようにしている。また、Ｓ４０では、第１の実施の形態と同様、パーソナライズ情報をパーソナライズサーバに送付して、更新を行うが、フラグを使わず、またパーソナライズ状態を元に戻すこともしない。本実施の形態の場合は、図１５には記述していないが、ＩＤカードが装置のそばから離れて一定時間経過すると、パーソナライズ状態をクリアして初期状態に戻すようにしている。
【０１０８】
本実施の形態では、ＩＤカードが装置の近くにある状態で、パーソナライズキーが押されたタイミングでパーソナライズを行うようにしたが、これを、ＩＤカードが装置の近くにきて一定時間以上経過したら自動的にパーソナライズを行うようにした方式も好適である。前者の方式は、ユーザ以外の例えば通行者のＩＤカードに反応して誤って自動的にパーソナライズすることを防げるという利点があり、後者の方式は、パーソナライズキーを押す必要がないという利点がある。
【０１０９】
また、本実施の形態では、パーソナライズキーが押された場合に全てのパーソナライズ情報をパーソナライズサーバから取得し、パーソナライズを行い、一方、Ｒｅｇｉｓｔキーが押された場合に、全てのパーソナライズ情報をパーソナライズサーバに送って、パーソナライズ情報の更新を行っているが、これを、必要な時にのみ部分的にパーソナライズを行い、また、必要な時にのみ部分的に更新を行うようにした構成も好適である。この構成は、必要な時のみ、部分的にパーソナライズ情報をやりとりすることにより、パーソナライズサーバとの通信時間を減らせるという利点がある。
【０１１０】
特に、本実施の形態のように補助画像データをパーソナライズする場合はデータ量が多いため、不要なパーソナライズやパーソナライズ情報の更新を行わないと処理時間が短くなるなどの効果が大きい。具体的には、画像合成コピーが指示された場合、または画像合成コピーの動作を開始する場合に、合成される登録画像データのみを、パーソナライズサーバから受け取る構成にする。また、画像登録を行った場合に、パーソナライズサーバ中の登録された画像番号の画像データのみを更新するようにする。
【０１１１】
（第３の実施の形態）
次に図１６乃至図１８を用いて本発明に係る画像処理装置の第３の実施の形態としての複写機について説明する。
【０１１２】
本発明の第３の実施の形態は、第１、第２の実施の形態とは、ユーザＩＤを獲得する方法、黒単色モードの存在、パーソナライズする項目等が異なっている。その他の構成及び作用については第１の実施の形態と同様であるため、同一構成要素には同一番号を付してその説明を省略する。以下に他の実施の形態との相違部分について説明を行う。
【０１１３】
図１６は、本実施の形態としての複写機の操作部のキー＆表示配置図である。
【０１１４】
まず、第１、第２の実施の形態と第１に異なる点は、本実施の形態では、ＩＤカードリーダは存在せず、代わりに、ユーザがＩＤを操作部で入力することでユーザＩＤを取得する点である。この場合、まず、操作部１１１の領域１１２中のＩＤキーを押すと、液晶表示部１１４に図のようなＩＤ入力画面が表示される。そして、テンキー４３を用いてＩＤ番号を入力し、さらに暗証番号横のキーを押して、入力先を暗証番号に切り替え、テンキー４３を用いて今度は暗証番号を入力する。そしてＯＫキーを押すと、ユーザＩＤの登録作業が終わる。
【０１１５】
第１や第２の実施の形態では、ＩＤカードを用いていたため、偽造が比較的困難であり、ＩＤカードを持っている人をＩＤカードの所有者とみなしてよかったし、またユーザＩＤの読み取り間違いも生じにくかった。しかし、本実施の形態のように、ユーザが自分でユーザＩＤを入力する場合は、他人のユーザＩＤを意図的に打ち込んだり、間違って打ち込むことが考えられる。このため、本実施の形態では、パスワードである暗証番号も入力させることにより、本人確認を行っている。
【０１１６】
本実施の形態の構成には、ユーザの入力作業が増え、入力ミスも生じうるものの、カードリーダがいらないという利点がある。
【０１１７】
次に、第１の実施の形態と第２に異なる点は、黒単色モードというモードが存在する点である。黒単色モードでは、黒トナーのみを用いて白黒コピーを行うモードである。ただし、カラー複写機における白黒コピーは、白黒専用機における白黒コピーよりもコストが高いのが一般的である。そこで本実施の形態では、通常は白黒コピーは禁止し、許可されたユーザのみ、白黒コピーを許可する構成にしており、この白黒コピーが許可されているかどうかもパーソナライズ情報に含ませている。ただし、この情報はユーザが自分で変更することはできず、管理者のみが変更できる構成としている。この黒単色モードの設定は、操作部１１１の領域１１３中の黒単色モード設定開始キーを押すことで開始される。
【０１１８】
図１７は、本実施の形態としての複写機において、各個別設定を行う場合の、液晶表示部１１４の各表示を説明するための図である。まず、領域８３内の黒単色モード設定開始キーが押されると、図１７（ａ）の画面が、液晶表示部１１４に表示されて、黒単色モードの設定が開始される。この場合、白黒コピーを許可されていないユーザの場合は、図１７（ａ）のように、白黒コピーを使えないというエラーメッセージが表示されて、Ｓｅｔキーは押せず、クリアキーのみが押せる。一方、白黒コピーを許可されているユーザの場合は、エラーメッセージは表示されず、Ｓｅｔキーを押すことにより、白黒コピーモードを設定することができる。このように本実施の形態では、ある機能を使えるかどうかもパーソナライズできる構成になっている。
【０１１９】
次に、図１７（ｂ）の画面は、第２の実施の形態における図１０（ｃ）で色登録を行う場合に、選択した番号に既に色が登録されている場合に、以前に登録された色を消去してもいいか確認するために本実施の形態において表示される確認用画面である。ただし、本実施の形態の場合、このような確認用画面は初級のユーザにしか表示されない。初級のユーザは、操作の間違いも多いため、このような確認用画面で確認をとることは有効であるが、上級のユーザの場合は、画面の数が多くなり、いちいち確認を取ることは逆に操作性を悪くすることになる。よって、本実施の形態では、ユーザが初級者か上級者かかどうかもパーソナライズ情報に含ませている。この情報はユーザが自分で更新することはできるようにしてもよいし、管理者のみが変更できるようにしても良い。このように、本実施の形態では、画面の遷移フローもパーソナライズできる構成になっている。
【０１２０】
次に、図１７（ｃ）の画面は、本実施の形態において、単色カラーを設定する場合に、上級者向けに表示される画面である。初級者用には、第２の実施の形態における図１１（ｃ）と同じ画面が表示される。図１７（ｃ）は、図１１（ｃ）に比べて、調整キーが追加されている。この調整キーは登録されている色の値を調整することを指示するキーであり、上級者にとっては、細かな調整ができるため、使えることが好ましい機能である。しかし、初級者にとっては、あまり使わない機能であり、このキーが存在することで、逆にユーザが困惑する可能性もある。よって、初級のユーザの場合には、これを表示させない仕組みとなっている。このように、本実施の形態では、使用可能な機能や、選択できる項目もパーソナライズできる構成になっている。
【０１２１】
図１７（ｃ）で、調整キーが押されると、図１７（ｄ）の画面が表示され、登録されている色の調整が行えるようになる。調整では、まず、登録されている色を構成するＭＣＹＫが最小値０、最大値２５５で表示され、それを上下の矢印キーで各色成分ごとに増減できる仕組みとなっている。
【０１２２】
図１８は、本実施の形態としての複写機の制御フローを説明するためのフローチャートである。第１の実施の形態のフローチャートである図１と相違する点のみを説明する。図１と同様の処理を行なうステップについては、同じ符号を付してその説明は省略する。
【０１２３】
まず、Ｓ５１では、ＩＤキーが押されたか判定し、押された場合には、Ｓ５２で、図１６の画面を表示し、ユーザＩＤとパスワードを取得し、ユーザＩＤを取得したことを示すフラグに１を立ててＳ５１に戻る。次に、Ｓ５３でパーソナライズキーが押された場合には、Ｓ５４でフラグが１かどうか、即ち、ユーザＩＤの取得が済んでいるかどうか判定し、取得が済んでいれば、Ｓ５５でユーザＩＤとパスワードをパーソナライズサーバに送付する。次いでＳ５６では、パーソナライズサーバから初級者／上級者の区別を示すユーザレベル情報や、白黒コピーを許可されたユーザかどうかを示す特権ユーザ情報などを含むパーソナライズ情報を受信する。ただし、Ｓ５５で送付したパスワードが正しくなければ、図１８には記述していないが、パーソナライズ情報は受信できず、代わりにエラーが通知されるため、エラーを表示してＳ５１に戻る。ついで、Ｓ６０では、フラグが１で、かつ、パーソナライズ情報の登録を指示するＲｅｇｉｓｔキーが押されたかどうか判定し、押されていれば、Ｓ６１でパーソナライズ情報をパーソナライズサーバに送信し、パーソナライズ情報の更新を行う。ついで、Ｓ６２では他のキーが押されたか判定し、押された場合はＳ６３で各キーに応じた処理を行うが、この場合、操作画面の遷移や、操作画面に表示する項目や、操作画面で選択できる項目を、ユーザのユーザレベル情報や特権ユーザ情報などのパーソナライズ情報に応じて変更する。なお、図１８では、他の処理を詳細に説明するために、モードメモリ呼び出しキーが押された場合の処理も、Ｓ６２とＳ６３での処理に含めている。図１８には記述していないが、本実施の形態の場合は、リセットキーが押されたり、一定時間操作が行われないと、パーソナライズ状態をクリアして初期状態に戻すようにしており、この時にフラグを０にクリアするようにしている。よって、本実施の形態の場合は、デフォルトコピーモードのパーソナライズは行っていない。
【０１２４】
（第４の実施の形態）
次に図１９を用いて本発明の第４の実施の形態について説明する。
【０１２５】
本発明の第４の実施の形態は、第３の実施の形態と比し、操作方法をパーソナライズする方法が異なっている。その他は類似であるため、相違部分についてのみ説明を行う。
【０１２６】
第３の実施の形態では、パーソナライズサーバから初級者／上級者の区別を示すユーザレベル情報や、白黒コピーを許可されたユーザかどうかを示す特権ユーザ情報などを含むパーソナライズ情報を獲得して、それに基づいて、複写機の操作部プログラムの動作を変更していた。即ち、複写機の操作部プログラムにおいて、複数の操作方法をあらかじめ準備しておいて、パーソナライズ情報の内容に応じて、それらのうちの一つを選択して使用する方式であった。これに対し、本実施の形態では、操作方法を記述したスクリプトをパーソナライズサーバから受け取り、操作部プログラムが、そのスクリプトを解釈及び実行して表示及びキー入力を行い、ユーザに操作を行わせる。
【０１２７】
図１９は、第３の実施の形態における図１７（ａ）の画面の操作方法をスクリプトで表した例である。まず、図１９（ａ）は、黒単色コピーが許可されていないユーザに対して送られてくるスクリプトの例である。まず、Ｌ１０１は、ヘッダ部の始まりを宣言するものであり、Ｌ１０２がヘッダ部に表示される文字列である。これにより、『黒単色』が、図１７（ａ）のごとく、大きめの文字でヘッダ部に表示される。ついで、Ｌ１０３は本体部の始まりを示すものであり、Ｌ１０４〜Ｌ１０７が本体部の文章として表示される。ついで、Ｌ１０８は、以下が横に２個並ぶキー入力の内の左側のキーであることを示す。次に、Ｌ１０９は、そのキーの名前が『クリア』であることを示し、また、その次のＬ１１０は、そのキーが押された時の処理が、『ｂｌａｃｋ＿ｍｏｄｅという変数に０を入れて、この画面での操作を終了すること』であることを意味する。
【０１２８】
次に、Ｌ１１１は、以下が横に２個並ぶキー入力の内の右側のキーであることを示す。次に、Ｌ１１２は、そのキーが押せないキーであることを示し、また次のＬ１１３は、そのキーの名前が『Ｓｅｔ』であることを示す。そして最後に、Ｌ１１４は、この画面の操作方法の記述の終わりを示す。
【０１２９】
操作部プログラムは、以上のようなスクリプトを解釈して、操作画面に適した大きさ、配置を自動的に決め、メッセージを表示し、キー入力を受け付ける。
【０１３０】
一方、図１９（ｂ）は、黒単色コピーが許可されているユーザに対して送られてくるスクリプトの例である。図１９（ａ）との違いは、Ｌ１０６〜Ｌ１０７のエラーメッセージの表示がない点と、Ｌ１１２の押せないキーを示す指示がない点と、Ｌ２１０にＳｅｔキーが押された場合の処理が追加された点である。Ｌ２１０は、『ｂｌａｃｋ＿ｍｏｄｅという変数に１を入れて、この画面での操作を終了すること』を意味する。
【０１３１】
第３の実施の形態の方式は、パーソナライズ情報として、ユーザレベル情報や、特権ユーザ情報などの少ない情報を送るだけでよいという利点があった。一方、本実施の形態では、以上のように、パーソナライズサーバから、スクリプトの形で、パーソナライズされた操作部の操作方法を受け取ることにより、パーソナライズの自由度が増すという利点がある。即ち、第３の実施の形態の方式では、あらかじめ複写機の操作部プログラム内にプログラムされた操作画面しか表示できず、キー位置もプログラムされたものしか使えなかったが、本実施の形態の方式では、スクリプトの内容に応じて自由に操作メッセージやキー位置を選択することができる。また、操作方法がスクリプトの形で渡され、複写機側の操作部プログラムにより、その複写機の操作画面にあった大きさ、配置に変換されるため、色々な大きさの画面を持つ異なる複写機に対して、同じスクリプトを使用できるという利点もある。
【０１３２】
また、本実施の形態では、パーソナライズサーバからパーソナライズされたスクリプトを受け取り、複写機側の操作部プログラムにより、それを解釈、表示してユーザに操作を行わせるようにしたが、これを、パーソナライズサーバからパーソナライズされた操作部プログラム自身を受け取って、それを実行してユーザに操作を行わせるようにした構成も好適である。この場合、受け取った操作部プログラムは、揮発性メモリ上におかれ、複写機のＣＰＵにより実行される。この方式は、第４の実施の形態の方式よりもさらに自由度の高いパーソナライズが行えるという利点がある。
【０１３３】
（その他の実施の形態）
上記第１乃至第４実施の形態では、カラーの複写機について説明したが、白黒の複写機にも、もちろん適用可能である。
【０１３４】
また、上記第１乃至第４実施の形態では、デジタル複写機について説明した。デジタル複写機は画像データもネットワーク経由で他の機器と授受しやすいためネットワーク接続に適しているが、アナログの複写機にも、もちろん適用可能である。アナログの複写装置の場合は、原稿を読み取った画像データは光データとして表現され、それが、光学的に変倍処理などを施されて、画像形成が行われる。
【０１３５】
また、上記第１乃至第４実施の形態では、接触型／非接触型のＩＤカードや手入力によりユーザＩＤを入手しているが、ユーザＩＤを入手できる方法であれば、他の方法でも構わない。例えば、音声によるユーザＩＤ入力や、音声によるユーザ識別、さらに、虹彩や顔や指紋や名札などをカメラで読み取ることによりユーザ識別を行う構成も他の実施の形態である。
【０１３６】
また、上記第１乃至第４実施の形態では、紙状の原稿上の画像を紙状の用紙上に複写する通常の複写機をパーソナライズする場合について説明をしたが、パーソナライズ可能なモードを有する複写機であれば、本発明を適用可能である。例えば、写真フィルムを読み取り、用紙上にコピーするフィルムスキャナ／プリンタシステムにも適用可能であり、また、原稿画像を読み取ってフィルム上に記録するフィルムレコーダシステムにも適用可能である。
【０１３７】
また、上記第１乃至第４実施の形態では、バス型のネットワークを用いて、各装置を接続しているが、複数の装置を接続可能なネットワークであれば、他のタイプでも良く、また、有線で接続する代わりに無線で接続する構成でも良い。
【０１３８】
また、上記第１乃至第４実施の形態では、パーソナライズサーバを１台の専用サーバ、または、各ユーザのパーソナルコンピュータを用いた複数の兼任サーバで構成したが、これ以外にも、１台の複写機がパーソナライズサーバを兼任した構成も好適である。
【０１３９】
なお、本発明は、複数の機器（例えばホストコンピュータ、インタフェイス機器、リーダ、プリンタなど）から構成されるシステムに適用しても、一つの機器からなる複写機に適用してもよい。
【０１４０】
また、本発明の目的は、前述した実施形態の機能を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても、達成されることは言うまでもない。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。
【０１４１】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【０１４２】
本発明を上記記憶媒体に適用する場合、その記憶媒体には、先に説明した（図１、図１５又は図１８に示す）フローチャートに対応するプログラムコードが格納されることになる。
【０１４３】
【発明の効果】
以上説明したように、本発明によれば、各種設定を、各ユーザごとに保持し、各装置は、あるユーザが装置を使用する場合に、そのユーザ用の各種設定によって装置をパーソナライズすることにより、そのユーザにおける操作性を著しく向上させることのできる画像処理装置及び画像処理システム並びにその制御方法を提供できるという効果がある。
【０１４４】
具体的には、ユーザごとに、ユーザ固有の設定にすることができ、また、異なる画像処理装置での操作性を同一にでき、また、従来は記憶が困難であった、大量の設定データや画像データも記憶できるという効果がある。
【図面の簡単な説明】
【図１】本発明の第１の実施の形態における複写機の制御を示すフローチャートである。
【図２】本発明の第１の実施の形態における複写機及びそれを含むシステムの構成を示すブロック図である。
【図３】本発明の第１の実施の形態における複写機の画像形成部の概略構成を示すブロック図である。
【図４】本発明の第１の実施の形態における複写機の操作部を説明するための図である。
【図５】本発明の第１の実施の形態における複写機の各種の編集処理を説明するための図である。
【図６】本発明の第１の実施の形態における複写機の各種設定データを説明するための図である。
【図７】本発明の第１の実施の形態における複写機のパーソナライズ情報を説明するための図である。
【図８】本発明の第２の実施の形態における複写機及びそれを含むシステムのブロック図である。
【図９】本発明の第２の実施の形態における複写機の操作部を説明するための図である。
【図１０】本発明の第２の実施の形態における複写機の操作部の各種設定方法を説明するための図である。
【図１１】本発明の第２の実施の形態における複写機の操作部の各種設定方法を説明するための図である。
【図１２】本発明の第２の実施の形態における複写機の編集処理を説明するための図である。
【図１３】本発明の第２の実施の形態における複写機の画像処理部のブロック図である。
【図１４】本発明の第２の実施の形態における複写機のパーソナライズ情報を説明するための図である。
【図１５】本発明の第２の実施の形態における複写機の制御を示すのフローチャートである。
【図１６】本発明の第３の実施の形態における複写機の操作部を説明するための図である。
【図１７】本発明の第３の実施の形態における複写機の操作部の各種設定方法を説明するための図である。
【図１８】本発明の第３の実施の形態における複写機の制御を示すフローチャートである。
【図１９】本発明の第４の実施の形態における複写機の操作画面のパーソナライズ方法を説明するための図である。
【図１】
0003604960.tif 000002
【図２】
0003604960.tif 000003
【図３】
0003604960.tif 000004
【図４】
0003604960.tif 000005
【図５】
0003604960.tif 000006
【図６】
0003604960.tif 000007
【図７】
0003604960.tif 000008
【図８】
0003604960.tif 000009
【図９】
0003604960.tif 000010
【図１０】
0003604960.tif 000011
【図１１】
0003604960.tif 000012
【図１２】
0003604960.tif 000013
【図１３】
0003604960.tif 000014
【図１４】
0003604960.tif 000015
【図１５】
0003604960.tif 000016
【図１６】
0003604960.tif 000017
【図１７】
0003604960.tif 000018
【図１８】
0003604960.tif 000019
【図１９】
0003604960.tif 000020